(57)【要約】【課題】  交換可能な消耗部品の外観で、未使用品であるか否かを判別できる部品使用検出装置を提供する。【解決手段】  消耗部品が使用状態か否かを識別する識別機構が設置され、未使用状態である前記消耗部品は、該消耗部品によって構成される機器に装着後、前記機器より取り外す時には、前記識別機構が、使用状態に変更される。【選択図】  図１
2006011139.tif 000002
【特許請求の範囲】
【請求項１】
交換可能な消耗部品が使用状態か否かを識別する、部品使用検出装置であって、
前記消耗部品には、該消耗部品が既に使用状態か否かを識別する識別機構が設置され、未使用状態である前記消耗部品は、該消耗部品によって構成される機器に装着後、前記機器より取り外す時に、前記識別機構が、使用状態に変更されることを特徴とする部品使用検出装置。
【請求項２】
交換可能な消耗部品が使用状態か否かを識別する、部品使用検出装置であって、
該消耗部品は支持部品によって保持され、該支持部品には、該消耗部品が既に使用状態か否かを識別する識別機構が設置され、未使用状態である前記消耗部品は、前記支持部品に保持された状態で、該消耗部品によって構成される機器に装着後、前記機器より取り外す時に、前記識別機構が、使用状態に変更されることを特徴とする部品使用検出装置。
【請求項３】
前記識別機構に、前記消耗部品が既に使用状態か否かを、視覚的に識別することを可能とする表示手段を備えたことを特徴とする、
請求項１または２のいずれかに記載の部品使用検出装置。
【請求項４】
前記消耗部品によって構成される機器に、前記消耗部品の状態を識別することを可能とする状態検出手段を備えたことを特徴とする、
請求項１ないし３のいずれかに記載の部品使用検出装置。
【請求項５】
投射ランプからの光をライトバルブによって変調し、変調光を拡大投射することで画像を表示する投射型画像表示装置において、
該投射ランプは、前記投射ランプが使用状態か否かを識別する識別機構が設置されたランプ支持部品に保持され、
未使用状態である前記投射ランプは、前記投射型画像表示装置に装着後、前記投射型画像表示装置より取り外される時に、前記機構が、使用状態に変更されることを特徴とする投射型画像表示装置。
【請求項６】
前記投射型画像表示装置に、前記識別機構の状態を判断する、状態検出手段を備えたことを特徴とする請求項５に記載の投射型画像表示装置。
【発明の詳細な説明】
【技術分野】
【０００１】
本発明は、交換可能な消耗部品が既に使用された品か未使用品かを識別する、部品使用検出装置に関するものであり、また、消耗しても機器の動作には直接影響しないが、品質あるいは性能などに影響を及ぼす消耗部品の使用の有無を検出するのに使用して好適なものである。
【背景技術】
【０００２】
一般に各種機器は、消耗部品を含んで構成されている場合が多い。この消耗部品としては、消耗することによって機器自体の動作に直接影響を及ぼす種類のものと、機器の動作には直接影響を及ぼさないが機器の性能あるいは品質などに影響を及ぼすものとがある。
【０００３】
前者の場合は消耗部品の交換時期が明確であるが、後者の場合は交換時期が明確ではない。
【０００４】
そこで後者の場合、機器性能あるいは品質の劣化を防止するために、推奨交換時期が設定されており、一般に機器が消耗部品の使用開始からの使用時間、あるいは使用回数を計測し、一定時間あるいは一定回数に達した場合に消耗部品の交換を、ユーザーに報知するようにしている。
【０００５】
一例として、投射型画像表示装置における投射用ランプがある。投射型画像表示装置では、例えばメタルハライドランプ等の光源から出射される光を、液晶表示素子やＤＭＤに代表される反射型表示素子等のライトバルブに照明することで光変調し、その透過光あるいは反射光を投射レンズによってスクリーンなどに拡大投影するように構成されている。
【０００６】
ここで使用されているメタルハライドランプは、点灯時間と共に発光管が次第に劣化していき、輝度および全光束が低下する欠点がある。そこで、メタルハライドランプの総点灯時間を積算し、積算点灯時間が所定値となるとメタルハライドランプの交換をユーザーに促す表示を行う装置が提案されている。
【０００７】
ところで通常ランプ交換は、ユーザー自身が行うものとしており、ユーザー自身がランプ交換を行うと共に積算点灯時間のリセットを行う必要がある。しかしながら、従来の投射型画像表示装置では、投射型画像表示装置の各種設定を行うメニュー操作の一項目として、積算点灯時間のリセットを行うように構成されていたり、特定のスイッチを操作することによりリセットを行うように構成されていたりして、リセット方法が分かり辛いという問題があった。
【０００８】
なおリアプロジェクターのランプの使用時間に関するものとして特許文献１などを挙げることが出来る。
【０００９】
また、このリセット操作はユーザーに委ねられているため、上述のリセット操作によりランプ使用途中でリセットを行う、あるいはランプ交換したにも係わらずリセット操作を忘れるなど、正確なリセット操作が為されない可能性がある。
【００１０】
この結果、正確な使用時間の計測が行えず、所定の使用時間を経過しなくてもランプ特性が劣化してしまうなどの不具合が生じる場合があった。
【００１１】
この不具合を解決するために、本発明者はこれまでに消耗部品の交換操作の有無を検出して通知する装置を発明した。
【特許文献１】特開２００４−１１００６８号公報
【発明の開示】
【発明が解決しようとする課題】
【００１２】
しかしながら、そのような装置では、交換した消耗部品が未使用品であるか否かを交換を行うユーザーが判断しなけばならないのに対して、消耗部品の外観からは判別が困難なために既使用品を未使用品と取り違える、保管中に既使用品と未使用品の判別ができなくなる等の問題があった。
【００１３】
本発明は以上の点を考慮してなされたもので、その目的は消耗部品の外観で未使用品であるか否かを判別することができる部品使用検出装置を提供する事にある。
【００１４】
さらに第二の目的は、交換された消耗部品が未使用品であるか否かを消耗部品を装着された機器自身が判別することのできる部品使用検出装置を提供する事にある。
【課題を解決するための手段】
【００１５】
交換可能な消耗部品が使用状態か否かを識別する、部品使用検出装置であって、前記消耗部品または、該消耗部品を保持する支持部品に、該消耗部品が使用状態か否かを識別する識別機構が設置され、未使用状態である前記消耗部品は、該消耗部品によって構成される機器に装着後、前記機器より取り外す時には、前記識別機構が、使用状態に変更されることを特徴とする。
【発明の効果】
【００１６】
本発明によると、消耗部品または消耗部品を保持する支持部品の外観から使用品であることを容易に判別する事が可能となる。また、消耗部品の交換操作を行った場合に該消耗部品自体が未使用品であるか否かを自動的に判断する事が可能となる。
【発明を実施するための最良の形態】
【００１７】
以下、本発明の実施形態について説明する。
【００１８】
図１Ａおよび図１Ｂは、それぞれ本発明による部品使用検出装置の一実施形態を示す概略の断面図であり、図１Ａは側面図、図１Ｂは図１Ａを上方から見た正面図である。
【００１９】
図１Ａおよび図１Ｂにおいて、１は交換可能な消耗部品または該消耗部品を保持する支持部品に設置される識別機構を、２は消耗部品を備える機器本体を示し、全体で本発明による部品使用検出装置を構成する。
【００２０】
識別機構１は、第一付勢バネ１１と、移動部１２と、ストッパー１３と第二付勢バネ１４とで構成される。機器本体２は、第一突起部２１と第二突起部２２を備える。
【００２１】
消耗部品または消耗部品の支持部品に設置される識別機構１は、消耗部品の新品未装着時には、図１に示すように移動部１２が第一付勢バネ１１によって（１）方向へ付勢されているが、ストッパー１３によってその移動は規制されている。ここで、ストッパー１３は、図１Ｂに示すように支点１５によってシーソー動作するように支持され、さらに第二付勢バネ１４によって（２）方向へ付勢されることによって移動部１２の移動を規制する。
【００２２】
消耗部品を機器本体に装着すると、図４に示すように識別機構１に備える第一の開口部３１および第二の開口部３２を通してそれぞれ機器本体２の第一突起部２１および第二突起部２２が識別機構１内部に進入する。第二の開口３２から進入した第二突起部２２は、図２Ｂに示すようにストッパー１３の移動部１２とは逆に位置する端部を押すことによって、図１Ａに示した移動部１２の（１）方向への移動規制を解除することとなる。
【００２３】
移動規制を解除された移動部１２は、第一付勢バネ１１によって（１）方向へ移動するが、図２に示すように第一の開口部３１から進入した第一突起部２１によって再度移動を規制される。ここで、第一突起部２１の長さは、第二突起部２２によってストッパー１３が動作する前に移動部１２の移動を規制できるように第二突起部２２に対して長く形成しておく。これらにより、この状態は、消耗部品を機器本体２から外すまで保持される。
【００２４】
消耗部品が機器本体２から外されると、第一突起部２１による移動規制が解除されるので移動部１２は図３Ａに示すように移動し、これによって使用状態である事を示す。
【００２５】
ここで、第二突起部２２は第一突起部２１より短く形成されるので消耗部品が機器本体２から外される時に第一突起部２１より早く外れてしまうが、移動部１２はストッパー１３による移動規制を受けない位置まで移動しているので問題なく使用状態へ移動することが出来る。
【００２６】
図１から図３において、ストッパー１３の（２）方向への付勢に関しては、第二付勢バネ１４によって行っているが、これに限定されるものではなく、例えば図５に示すような部材１６を備える事も考えられる。すなわち、ストッパー１３と対向する部材１６の面をテーパー面に形成すると共に、ストッパー１３の端部を収容する凹部を設ける。ここで、部材１６には弾力性のあるプラスチック材等で形成する。未使用状態では部材１６のテーパー面でストッパー１３を（２）方向へ移動しないよう規制することで、移動部１２の（１）方向への移動を規制する。
【００２７】
消耗部品が機器本体２に装着されると、第二突起部２２によってストッパー１３の端部が部材１６の凹部へ押し込まれて保持され、移動部１２の（１）方向への移動規制を解除する。
【００２８】
ここで、既使用の消耗部品を機器に着脱した場合の、識別機構の動作について述べる。
【００２９】
未使用の消耗部品を機器本体２に装着後、機器本体２から外した状態、つまり既使用状態となった消耗部品における、前記識別機構１は図３Ａの状態となる。
【００３０】
図４は、この状態の消耗部品を機器本体に再度装着した状態を示す概略図である。
【００３１】
図４において、機器本体の突起部２２は、識別機構１のストッパー１３を押すが、前記識別機構１を構成する移動部１２は、既に（１）方向へ移動済みであり、前記移動部１２の位置には影響しない。また、突起部２１も同様に前記移動部１２の位置に影響することはなく、識別機構１は、既使用の消耗部品を機器に着脱しても、該消耗部品の識別機構は変化しない。
【００３２】
図７は、移動部１２に使用状態表示部１７を設けた例を示す。図７Ｂは識別機構１の機器本体２への装着面から見た図を示す。未使用状態では使用状態表示部は１７ａに位置するが、使用状態では移動部１２の移動に伴って使用状態表示部は１７ｂに移動する。この時、使用状態表示部１７ａの移動後に赤色が出てくるなど視覚的に変化させることによって外観から未使用品か否かの判別を容易にする事が出来る。
【００３３】
図８は本発明による識別機構１の状態を検出する検出手段を備えた部品使用検出装置の一実施形態を示す概略縦断面図である。図８Ａは新品未使用の消耗部品を装着した場合の断面図であり、図８Ｂは使用の消耗部品を再度装着した場合の断面図を示す。図１で示した部品使用検出装置と同じ構成要素は、同一符号を付してある。
【００３４】
図８において４１は、機器本体２に設置されたプッシュスイッチである。
消耗部品が機器本体２に装着されると、プッシュスイッチ４１を構成する検知部４２が識別機構１に設ける第三の開口部３３を通して識別機構１内部に進入する。
【００３５】
しかし、図８Ａでは、新品未使用の消耗部品が装着されているため、識別機構１の移動部１２は、機器本体２の第一突起部２１によって使用状態への移動に規制がかけられ、プッシュスイッチ４１を押下するものは無くオフされたままとなる。これに対して、図８Ｂでは、一度使用された消耗部品が装着されているので識別機構１の移動部１２は使用状態へ移動しており、消耗部品が機器本体２に装着されるとともにプッシュスイッチの押し棒が移動部１２によって押下されオンされる。これら状態で、機器本体２の電源を投入すると機器本体２はプッシュスイッチ４１のオン／オフを検出して、装着されている消耗部品が未使用品か否かを判別する事が出来る。
【００３６】
図９は、識別機構１の状態を非接触に検出する例を示す。本実施形態では図７に示したように識別機構１の移動部１２に使用状態表示部１７を設けると共に、未使用の消耗部品を装着した時に使用状態表示部１７が位置する識別機構１側部分に光を反射する光反射部１８を設け、機器本体２側に光学式センサ４３を設ける。
【００３７】
未使用の消耗部品が装着されている図９Ａでは、光反射部１８は使用状態表示部１７によって遮られるため、機器本体２の電源を投入した際に光学式センサ４３は反射光を検出しない。これに対して、一度使用された消耗部品が装着されている図９Ｂでは、使用状態表示部１７は使用状態まで移動しているため光反射部１８が見えている状態にあり、機器本体２の電源を投入した際に光学式センサ４３は反射光を検出する。従って、機器本体２の電源投入時に光学式センサ４３で反射光の有無を検出する事によって、装着されている消耗部品が未使用品か否かを判別する事が出来る。
【００３８】
以下、実施例に沿って本発明を更に詳細に説明する。
【実施例１】
【００３９】
本実施例では、図１０に示すような投射型画像表示装置に本発明による部品使用検出装置を組み込んで構成した。
【００４０】
図１０において、１００は投射型画像表示装置、１０１は投射型画像表示装置１００の画像投射ユニット、１０２は消耗部品である光源ランプを支持部品に保持した光源ランプユニットであり、ランプユニット交換用扉１０３から交換可能な構成を取っている。
【００４１】
光源ランプユニット１０２には光源ランプを保持する支持部品に識別機構１を備え、投射型画像表示装置１００には識別機構１の状態を検出する光学式センサ４３を備える。１０４は、投射型画像表示装置１００を制御するＣＰＵであり、光学式センサ４３の出力を検出して光源ランプユニット１０２が未使用品であるか否かを判別する。
【００４２】
図１１は、光源ランプユニット１０２および投射型画像表示装置１００の光源ランプユニット１０２が装着される部分の拡大図である。ここで、部品使用検出装置は図９と同様の構成を採用した。
【００４３】
図１１Ａから図１１Ｂに示すように未使用の光源ランプユニット１０２が投射型画像表示装置１００へ装着されると、前述したように識別機構１内の移動部１２が投射型画像表示装置１００に備える第一突起部２１まで移動する。この時、移動部１２に連動して、使用状態表示部１７が光反射部１８を隠す位置まで移動する。この状態で投射型画像表示装置１００の電源を投入した場合、光学式センサ４３は反射光を検出しないため、ＣＰＵ１０４では交換された光源ランプユニット１０２が新品であると判断できる。
【００４４】
次に図１１Ｂから図１１Ｃに示すように光源ランプユニット１０２を投射型画像表示装置１００から外すと、識別機構１内の移動部１２に連動して使用状態表示部１７が使用状態まで移動する。これによって光反射部１８が外観に現れるため光源ランプユニット１０２自体が使用品であることを判別可能となる。
【００４５】
ところで、図１１Ｄのように一度使用した光源ランプユニット１０２を再度投射型画像表示装置に装着した場合、識別機構１内の移動部１２は既に使用状態まで移動しているので光反射部１８が外観に現れている。従って、この状態で投射型画像表示装置１００の電源を投入した場合、光学式センサ４３は反射光を検出し、ＣＰＵ１０４では交換された光源ランプユニット１０２が再使用品であると判断できる。
【００４６】
本実施例によれば、投射型画像表示装置１００への光源ランプユニット１０２の交換操作によって光源ランプユニット１０２の外観が変化し使用品であるか否かを判別する事が可能となる。
【００４７】
また、投射型画像表示装置１００に状態検出手段を備えることによって、交換された光源ランプユニット１０２が未使用品であるか否かを投射型画像表示装置１００が判別可能となる。従って、従来ユーザーに操作を委ねていた光源ランプユニット交換時の累積点灯時間のリセット操作を、交換された光源ランプユニット１０２が未使用品であるか否かの判断と連動させることによって自動化することも可能となる。
【図面の簡単な説明】
【００４８】
【図１】本発明による部品使用検出装置において、未使用品が非装着時の概略断面図。
【図２】本発明による部品使用検出装置において、未使用品を装着時の概略断面図。
【図３】本発明による部品使用検出装置において、使用装着後の概略断面図。
【図４】本発明による部品使用検出装置において、使用済み品を装着時の概略断面図。
【図５】本発明による識別機構部の機器本体側に設けた開口を示す図。
【図６】本発明による識別機構部におけるストッパーの保持機構を示す図。
【図７】本発明による識別機構部における使用状態表示部を示す図。
【図８】本発明による、状態検出手段を備えた部品使用検出装置の第一の実施形態を示す図。
【図９】本発明による、状態検出手段を備えた部品使用検出装置の第二の実施形態を示す図。
【図１０】本発明による部品使用検出装置を組み込んで構成した投射型画像表示装置の概略構成を示すブロック図。
【図１１】本発明による部品使用検出装置を組み込んで構成した投射型画像表示装置の光源ランプユニット部の拡大図。
【符号の説明】
【００４９】
１  識別機構
２  機器本体
１１  第一付勢バネ
１２  移動部
１３  ストッパー
１４  第二付勢バネ
１５  ストッパー支点
１６  部材
１７  使用状態表示部
１８  光反射部
２１  第一突起部
２２  第二突起部
４１  プッシュスイッチ
４２  検知部
４３  光学式センサ
１００  投射型表示装置
１０１  画像投射ユニット
１０２  光源ランプユニット
１０３  ランプユニット交換扉
１０４  ＣＰＵ
【図１】
2006011139.tif 000003
【図２】
2006011139.tif 000004
【図３】
2006011139.tif 000005
【図４】
2006011139.tif 000006
【図５】
2006011139.tif 000007
【図６】
2006011139.tif 000008
【図７】
2006011139.tif 000009
【図８】
2006011139.tif 000010
【図９】
2006011139.tif 000011
【図１０】
2006011139.tif 000012
【図１１】
2006011139.tif 000013